(57)【特許請求の範囲】
【請求項１】
移動する光学系により原稿を露光走査することによって、原稿の画像を読み取る画像読み取り装置において、
前記光学系の走行体に一端が接続され、他端は固定側の装置本体に接続された給電ケーブルと、
該給電ケーブルの一部を着脱自在に挟持するとともに、前記給電ケーブルに加えられた外力によりスライド可能なケーブル付設部材と、
を備えていることを特徴とする画像読み取り装置。
【請求項２】
前記ケーブル付設部材は、前記外力によりスライドしたとき弾性的に変形し、前記外力から開放されたとき前記ケーブル付設部材を元の位置に戻す弾性条片部を備えていることを特徴とする請求項１記載の画像読み取り装置。
【請求項３】
前記ケーブル付設部材には、前記弾性条片部によるスライド方向を規制する規制ガイド部が形成されていることを特徴とする請求項１または２に記載の画像読み取り装置。
【請求項４】
前記ケーブル付設部材は、上部に開閉自在なカバー部を備え、前記上部と前記カバー部とにより前記給電ケーブルを挟持することを特徴とする請求項１ないし３のいずれか１項に記載の画像読み取り装置。
【請求項５】
前記規制ガイド部は、
前記ケーブル付設部材の下面に下方に突出するガイド突条と、
前記ケーブル付設部材を支持する支持部材に形成され、前記ガイド突起が入るガイド溝と、
からなることを特徴とする請求項３記載の画像読み取り装置。
【請求項６】
請求項１ないし５のいずれか１項に記載の画像読み取り装置と、
前記画像読み取り装置によって読み取られた画像情報に基づいて画像を形成する画像形成手段と、
からなる画像形成装置。
【発明の詳細な説明】
【０００１】
【発明の属する技術分野】
本発明は、移動する走行体を備えた光学系により原稿を露光走査することによって、原稿の画像を読み取る画像読み取り装置および当該画像読み取り装置を備えた画像形成装置に関する。
【０００２】
【従来の技術】
複写機、ファクシミリ、スキャナなどには、走行体に光学系の一部が搭載され、前記移動体を往復移動させて原稿を露光走査することによって、原稿の画像を読み取るいわゆるキャリッジ移動方式の画像読み取り装置を備えているものが多い。この方式の画像読み取り装置の場合、光学系は、光源であるランプや原稿からの反射光をＣＣＤなどの撮像素子に射出するための複数個のミラーを備えている。ランプには点灯させるための給電ケーブルが接続されるが、ランプは走行体に搭載され、走行体と共に移動するため、給電ケーブルとしては柔軟性および耐久性に富むことが要求されている。
【０００３】
そこで、例えば特許第２５８８６０５号には、フレキシブルなシートの片面にプリントした基板を導体とする給電ケーブルが提案されている。しかしながら、シートは絶縁体となっているので高価であり、また、プリント後さらにシートを対面より貼着するので、ケーブル製造に工数がかかり、コストも高くなってしまう。さらにまた、プリント基板の外側に沿って保護部材が設けられ、耐久性を大幅に向上させているが、その分さらにコストがかかる構成となっている。また、特開２０００−３２２３５公報には、移動可能な撮像素子の接続ケーブルとして電線を使用し、この電線を弾性変形可能な支柱状の電線支持部材で支持することが提案されている。
【０００４】
【発明が解決しようとする課題】
後者の従来技術は前者とは異なり、電線が使用できるので、ケーブルは安価に提供できる。しかし、ケーブルに加えられる外力に対しては、電線支柱部材の支柱部の変形で吸収するようになっており、長期間の使用によって支柱部から折れる可能性がある。
【０００５】
本発明はこのような従来技術の実情に鑑みてなされたもので、その目的は、通常の被覆電線によって移動する光学系との電気的な接続を行う際に、電線のねじれや交差を確実に防止する画像読み取り装置を提供することにある。
【０００６】
また、他の目的は、通常の被覆電線によって移動する光学系との電気的な接続を行う際に、電線のねじれや交差を確実に防止することができる画像読み取り装置を備えた画像形成装置を提供することにある。
【０００７】
【課題を解決するための手段】
前記目的を達成するため、第１の手段は、移動する光学系により原稿を露光走査することによって、原稿の画像を読み取る画像読み取り装置において、前記光学系の走行体に一端が接続され、他端は固定側の装置本体に接続された給電ケーブルと、該給電ケーブルの一部を着脱自在に挟持するとともに、前記給電ケーブルに加えられた外力によりスライド可能なケーブル付設部材とを備えていることを特徴とする。
【０００８】
前記目的を達成するため、第２の手段は、第１の手段において、前記ケーブル付設部材は、前記外力によりスライドしたとき弾性的に変形し、前記外力から開放されたとき前記ケーブル付設部材を元の位置に戻す弾性条片部を備えていることを特徴とする。
【０００９】
前記目的を達成するため、第３の手段は、第１または第２の手段において、前記ケーブル付設部材には、前記弾性条片部によるスライド方向を規制する規制ガイド部が形成されていることを特徴とする。
【００１０】
前記目的を達成するため、第４の手段は、第１ないし第３の手段において、前記ケーブル付設部材は、上部に開閉自在なカバー部を備え、前記上部と前記カバー部とにより前記給電ケーブルを挟持することを特徴とする。
【００１１】
前記目的を達成するため、第５の手段は、前記規制ガイド部は、前記ケーブル付設部材の下面に下方に突出するガイド突条と、前記ケーブル付設部材を支持する支持部材に形成され、前記ガイド突起が入るガイド溝とからなることを特徴とする。
【００１２】
前記他の目的を達成するため、第６の手段は、第１ないし第５のいずれかの手段に係る画像読み取り装置と、前記画像読み取り装置によって読み取られた画像情報に基づいて画像を形成する画像形成手段とから画像形成装置を構成したことを特徴とする。。
【００１３】
【発明の実施の形態】
以下、図面を参照し、本発明の実施形態について説明する。
【００１４】
図１は本発明の実施の形態に係る画像読み取り装置の概略構成を説明するための斜視図で、一部を切り欠いて示すたものである。図示するように、画像読み取り装置は、光源であるランプ２と第１ミラー３とを搭載する第１走行体１と、第２ミラー５、第３ミラー６、ランプ２に一端が接続された給電ケーブル１０を案内するためのプーリ等で構成された回動部材８、この回動部材８を支える保持部材７、および給電ケーブル１０を案内するためのガイド部材９を搭載する第２走行体４を備えている。第１走行体１は、第１レール１２に沿って走行可能に支持されており、第２走行体４は第１レール１２間の下方に位置する第２レール１１に沿って第１走行体１の下方を走行するように支持されている。給電ケーブル１０の他端は、後述するケーブル付設部材１７を通ってレギュレータ１３に接続されている。１４は集光用のレンズ、１５は撮像素子であるＣＣＤ基板である。
【００１５】
画像が読み取られる原稿は、上部に設けられた透明な平板ガラスで構成された原稿載置台（図示しない）の上に載せられ、光源であるランプ２によって光を照射し、その反射光は第１ミラー３から第２ミラー５そして第３ミラー６によって反射された後、レンズ１４によって集光され、ＣＣＤ基板１５に結像する。第１および第２走行体１，４は、従来の画像読み取り装置と同様に、２：１の速度比で移動させて、レンズ１４の光路長を一定に保ちながら原稿の全体を走査するようになっている。
【００１６】
次に、給電ケーブルを保持するケーブル付設部材１７について図２ないし図４により説明する。図２はケーブル付設部材のみを示す斜視図、図３は図２のケーブル付設部材を弾性係止部の一部を切り欠いて示す斜視図、図４はケーブル付設部材が取付けられる取付部材の一部を示す斜視図である。ケーブル付設部材１７は、電気的に絶縁できる合成樹脂で作られており、複数本の給電ケーブル１０を挟持するように下溝３１が上面に形成された基部３２と、この基部３２を上方から覆って給電ケーブル１０を固定するカバー部３３と、基部３２の底面に下方に突出するように設けられたガイド突条部２１と、基部３２の下溝３１の延在方向に直交する側面に設けられた弾性条片部２０とが一体的に形成されている。カバー部３３は、基部３１の下溝３１の延在方向と平行な一側面に一端が接続され、この接続部は肉薄な弾性的に折り曲げ可能になっている。カバー部３３の下面には下溝３１と整合する上溝３４が形成されており、これら下溝３１と上溝３４内に給電ケーブル１０が挟持される。カバー部３３の自由端には鉤状部３５が形成され、この鉤状部３５は基部３２のカバー部３３との接続部と相対する側部に形成された係止溝３６にスナップアクション的に係止することができ、これにより給電ケーブル１０が基部３２とカバー部３３とにより固定される。また、鉤状部３５を係止溝３６から外せば、カバー部３３を開くことができる。
【００１７】
ガイド突条部２１は、基部３２の下面に対し支柱部２１ａにより間隔をおいて平行に延在するように位置する係止部２１ｂを備えている。支柱部２１ａおよび係止部２１ｂは、それぞれ下溝３１の延在方向に延びている。支柱部２１ａは、装置本体の取付部材１８に形成され、給電ケーブル１０の延在方向に延在するガイド長孔２２に挿通され、係止部２１ｂが取付部材１８のガイド長孔２２の近傍の下面と相対し、離脱しないようになっている。ガイド長孔２２の長さは、支柱部２１ａの長さより長くなっており、これによりケーブル付設部材１７はガイド長孔２２内を移動できる。ガイド長孔２２の回動部材８側の端部には、係止部２１ｂが入ることができる角孔２２ａが形成されており、この角孔２２ａに係止部２１ｂを挿入し、ガイド長孔２２方向に取付部材１８上をケーブル付設部材１７を滑らせていけばよい。なお、図１の第２レール１１にガイド長孔２２および角孔２２ａに設けてもよい。
【００１８】
弾性条片部２０は側面視ぼほＵ字状をしており、その一端が基部３２の下溝３１の延在方向に直交する側面に固定され、Ｕ字状部を下方に突出させるようにし、自由端である他端２１ａは押圧により一端側に弾性的に接触可能で、押圧により一端側に接触させた状態で角孔２２ａ内に装着し、押圧を開放することにより、他端２１ａは角孔２２ａのガイド長孔２２と相対する縁に弾性的に係止し、取付部材１８にケーブル付設部材１７が装着されることになる。
【００１９】
３７はケーブル付設部材１７を取付部材１８に装着したとき、取付部材１８の上面に位置するつば部材で、このつば部材３７にはケーブル付設部材１７の移動方向に延在するように長ねじ孔３７ａが形成されている。この長ねじ孔３７ａからねじ（図示しない）を挿通し、取付部材１８に形成されたねじ孔１８ａに螺入することにより、不用意にケーブル付設部材１７が回動部材８方向に押圧された場合に、角孔２２ａから離脱するのを防止する。
【００２０】
このように構成されたケーブル付設部材１７を、上述したように、弾性条片部２０の他端２１ａを一端側に押圧させた状態で角孔２２ａ内に装着し、押圧を開放すれば、他端２１ａは角孔２２ａのガイド長孔２２と相対する縁に弾性的に係止し、ケーブル付設部材１７はガイド長孔２２によってレギュレータ１３の方向にスライドする。これにより、ガイド突条部２１の係止部２１ｂは取付部材１８の下面に位置し、ケーブル付設部材１７が離脱することはない。ここで、カバー部３３の鉤状部３５を基部３２の係止溝３６から外せば、カバー部３３を開くことができ、給電ケーブル１０を基部３２の上溝３１に入れ、再びカバー部３３を閉じれば、給電ケーブル１０はケーブル付設部材１７に固定される。なお、最初に給電ケーブル１０をケーブル付設部材１７に装着した後に、取付部材１８に装着してもよい。ガイド突条部２１トガイド長孔２２とにより、給電ケーブル１０をケーブル付設部材１７に装着する際、ケーブル付設部材１７が回転し、給電ケーブル１０がねじれたり、交差することがなく、給電ケーブル１０の弛みを取り給電ケーブル１０の付設作業を行うことができる。また、使用中に給電ケーブル１０が弛むと、その弛み分だけ弾性条片部２０の弾性力に抗してケーブル付設部材１７は可動部材８の方向にスムーズに移動することになる。
【００２１】
なお、画像形成装置は、このように構成された画像読み取り装置によって読み取られた画像情報に基づいて公知の画像形成手段によって画像形成を行う。画像形成手段自体は、電子写真方式あるいはインクジェット方式などの公知の画像形成手段であれば、読み取った画像情報に基づいて画像処理を行う画像処理装置からの画像出力信号に基づいて画像形成が可能である。
【００２２】
【発明の効果】
以上のように、本発明によれば、給電ケーブルの一部を着脱自在に挟持するとともに、給電ケーブルに加えられた外力によりその外力方向にスライド可能なケーブル付設部材を備えているので、可動体である光学系の給電ケーブルを付設する際、給電ケーブルの途中にケーブル付設基準となるべく係合部を設けているので、給電ケーブル付設における作業性の向上、ケーブル姿勢の向上が図れる。また、外力が加わった場合外力方向にスライドするので、給電ケーブルがねじれたり、交差したりするのを防止することができる。
【図面の簡単な説明】
【図１】本発明の実施の形態の概略構成を説明するための一部を切り欠いて示す斜視図である。
【図２】図１のケーブル付設部材のみを示す斜視図である。
【図３】図２のケーブル付設部材を弾性係止部の一部を切り欠いて示す斜視図である。
【図４】ケーブル付設部材が取付けられる取付部材の一部を示す斜視図である。
【符号の説明】
１  第１走行体
２  ランプ
３  第１ミラー
４  第２走行体
５  第２ミラー
６  第３ミラー
１０  給電ケーブル
１３  レギュレータ
１５  ＣＣＤ基板
１７  ケーブル付設部材
１８  取付部材
２０  弾性条片部
２１  ガイド突条部
２１  ガイド突条部
２１ａ  支柱部
２１ｂ  係止部
２２  ガイド長孔
２２ａ  角孔
３１  下溝
３２  基部
３３  カバー部
３４  上溝
３５  鉤状部
３６  係止溝
【図１】
0003681680.tif 000002
【図２】
0003681680.tif 000003
【図３】
0003681680.tif 000004
【図４】
0003681680.tif 000005